(57)【要約】【課題】ＬＥＤバックライトを複雑な構成にすることなく、ＬＥＤバックライトの長寿命化を図ることができる表示装置を提供する。【解決手段】表示パネルと、前記表示パネルを前記表示パネルの背面から照明するバックライト８Ａと、バックライト８Ａを制御するバックライト制御部とを備える表示装置であって、バックライト８Ａが、第１グループに属する白色ＬＥＤ８１と、第２グループに属する白色ＬＥＤ８２とをそれぞれ複数有しているＬＥＤバックライトであり、前記バックライト制御部が、一方のグループに属するＬＥＤを消灯させ、他方のグループに属するＬＥＤを点灯させる制御を行うことができる表示装置。【選択図】図２
2011249087.tif 000002
【特許請求の範囲】
【請求項１】
表示パネルと、前記表示パネルを前記表示パネルの背面から照明するバックライトと、前記バックライトを制御するバックライト制御部とを備える表示装置であって、
前記バックライトが、
複数のＬＥＤを有し、複数の前記ＬＥＤが複数の固定されたグループに分類されているＬＥＤバックライトであり、
前記バックライト制御部が、
或るグループに属する前記ＬＥＤを消灯させ、或るグループ以外のグループに属する前記ＬＥＤを点灯させる第１の制御、及び、或るグループに属する前記ＬＥＤを、或るグループ以外のグループに属する前記ＬＥＤよりも低輝度で点灯させる第２の制御の少なくとも一つを行うことができることを特徴とする表示装置。
【請求項２】
各グループに属する前記ＬＥＤが、各グループそれぞれにおいて、周期的に配置されていることを特徴とする請求項１に記載の表示装置。
【請求項３】
前記バックライトの周辺温度を検出する温度センサを備え、
前記温度センサによって検出された前記バックライトの周辺温度が所定の温度を超えると、前記バックライト制御部が、前記第１の制御を実行することを特徴とする請求項１又は請求項２に記載の表示装置。
【請求項４】
前記バックライト制御部が、或るグループと、或るグループ以外のグループとを所定の周期で入れ替えながら、前記第１の制御を実行することを特徴とする請求項１又は請求項２に記載の表示装置。
【請求項５】
前記バックライト制御部が、前記第１の制御を実行し、或るグループに属する前記ＬＥＤの少なくとも一つに寿命が来ると、或るグループと、或るグループ以外のグループとを入れ替えることを特徴とする請求項１又は請求項２に記載の表示装置。
【請求項６】
表示パネルと、前記表示パネルを前記表示パネルの背面から照明するバックライトと、前記バックライトを制御するバックライト制御部と、前記バックライトの周辺温度を検出する温度センサとを備える表示装置であって、
前記バックライトが、複数のＬＥＤを有するＬＥＤバックライトであり、
前記バックライト制御部は、
前記温度センサによって検出された前記バックライトの周辺温度が所定の温度を超えると、前記温度センサによって検出された前記バックライトの周辺温度が前記所定の温度以下であるときよりも低輝度で複数の前記ＬＥＤ全てを点灯させる制御を行うことを特徴とする表示装置。
【発明の詳細な説明】
【技術分野】
【０００１】
本発明は、表示装置に関し、特にＬＥＤバックライトを有する表示装置に関する。
【背景技術】
【０００２】
表示パネルと、前記表示パネルを前記表示パネルの背面から照明するバックライトとを備える表示装置（例えば透過型液晶表示装置）においては、テレビ受像機などの比較的画面サイズが大きい表示装置である場合、ＣＣＦＬ（Cold Cathode Fluorescent Lamp）やＥＥＦＬ（External Electrode Fluorescent Lamp）等の蛍光管をバックライトとして用いる構成が一般的である。
【０００３】
ところが、近年、環境問題などの観点から、蛍光管よりも消費電力が小さいＬＥＤ（Light Emitting Diode）をバックライトの光源に用いている表示装置、すなわち、ＬＥＤバックライトを有する表示装置が脚光を浴びている。
【先行技術文献】
【特許文献】
【０００４】
【特許文献１】特開２０１０−２６２０８号公報（要約）
【特許文献２】特開２００４−２８１３７３号公報
【発明の概要】
【発明が解決しようとする課題】
【０００５】
ＬＥＤバックライトを有する表示装置は、すでに製品化されて市場に出回っているが、ＬＥＤ自体の寿命（約３００００時間）が蛍光管の寿命の約半分と短いため、製品寿命が短いという問題を有していた。
【０００６】
なお、特許文献１では、ＬＥＤバックライトの長寿命化を図ることができる液晶表示装置として、複数のサブ表示領域に分割された液晶パネルと、前記サブ表示領域の各々に対応する複数の光源から成り、前記光源の各々が複数のＬＥＤを有するＬＥＤバックライトと、前記光源毎に、対応する前記サブ表示領域内の画素の画像信号から前記光源の必要とする輝度を算出する算出手段と、前記光源毎に、前記算出手段により算出された輝度を得るために最低限必要なＬＥＤの数を決定し、決定した数分のＬＥＤを、前記複数のＬＥＤのうちから所定の順番で決定する決定手段と、前記決定手段により決定されたＬＥＤのみを発光させる発光制御手段とを備える液晶表示装置が提案されている。
【０００７】
しかしながら、特許文献１で提案されている液晶表示装置では、決定手段により決定されたＬＥＤのみの発光を実現するためにはＬＥＤバックライトの構成やＬＥＤバックライトを駆動する発光制御手段の構成が複雑になってしまうという問題がある。
【０００８】
本発明は、上記の状況に鑑み、ＬＥＤバックライトを複雑な構成にすることなく、ＬＥＤバックライトの長寿命化を図ることができる表示装置を提供することを目的とする。
【課題を解決するための手段】
【０００９】
上記目的を達成するために本発明に係る表示装置は、表示パネルと、前記表示パネルを前記表示パネルの背面から照明するバックライトと、前記バックライトを制御するバックライト制御部とを備える表示装置であって、前記バックライトが、複数のＬＥＤを有し、複数の前記ＬＥＤが複数の固定されたグループに分類されているＬＥＤバックライトであり、前記バックライト制御部が、或るグループに属する前記ＬＥＤを消灯させ、或るグループ以外のグループに属する前記ＬＥＤを点灯させる第１の制御、及び、或るグループに属する前記ＬＥＤを、或るグループ以外のグループに属する前記ＬＥＤよりも低輝度で点灯させる第２の制御の少なくとも一つを行うことができる構成（以下、第１の構成という）とする。
【００１０】
このような構成によると、前記第１の制御や前記第２の制御を実行することにより、前記バックライトでの発熱量を低減することができる。ＬＥＤは高温で駆動するほど寿命が短くなるという特性を有しているので、前記第１の制御や前記第２の制御を実行することにより、前記バックライトの長寿命化を図ることができる。また、このような構成によると、複数の前記ＬＥＤが複数の固定されたグループに分類されているので、前記バックライトを複雑な構成にしなくてすむ。
【００１１】
また、前記第１の制御や前記第２の制御が実行された際の前記バックライトの照明ムラを抑制する観点から、上記第１の構成の表示装置において、各グループに属する前記ＬＥＤが、各グループそれぞれにおいて、周期的に配置されている構成（以下、第２の構成という）とすることが望ましい。
【００１２】
また、上記第１の構成又は上記第２の構成の表示装置において、前記バックライトの周辺温度を検出する温度センサを備え、前記温度センサによって検出された前記バックライトの周辺温度が所定の温度を超えると、前記バックライト制御部が、前記第１の制御を実行するようにしてもよい。
【００１３】
また、上記第１の構成又は上記第２の構成の表示装置において、前記バックライト制御部が、或るグループと、或るグループ以外のグループとを所定の周期で入れ替えながら、前記第１の制御を実行するようにしてもよい。
【００１４】
また、上記第１の構成又は上記第２の構成の表示装置において、前記バックライト制御部が、前記第１の制御を実行し、或るグループに属する前記ＬＥＤの少なくとも一つに寿命が来ると、或るグループと、或るグループ以外のグループとを入れ替えるようにしてもよい。
【００１５】
上記目的を達成するために本発明に係る表示装置は、表示パネルと、前記表示パネルを前記表示パネルの背面から照明するバックライトと、前記バックライトを制御するバックライト制御部と、前記バックライトの周辺温度を検出する温度センサとを備える表示装置であって、前記バックライトが、複数のＬＥＤを有するＬＥＤバックライトであり、前記バックライト制御部は、前記温度センサによって検出された前記バックライトの周辺温度が所定の温度を超えると、前記温度センサによって検出された前記バックライトの周辺温度が前記所定の温度以下であるときよりも低輝度で複数の前記ＬＥＤ全てを点灯させる制御を行う構成としてもよい。
【００１６】
このような構成によると、前記バックライトの周辺温度が所定の温度を超えているときに、前記バックライトでの発熱量を低減することができる。ＬＥＤは高温で駆動するほど寿命が短くなるという特性を有しているので、上記のような制御により、前記バックライトの長寿命化を図ることができる。また、このような構成によると、複数の前記ＬＥＤがグループ分けされずに複数の前記ＬＥＤ全てが同一の点灯状態であるので、前記バックライトを複雑な構成にしなくてすむ。
【発明の効果】
【００１７】
本発明に係る表示装置によると、ＬＥＤバックライトでの発熱量を低減することができる。ＬＥＤは高温で駆動するほど寿命が短くなるという特性を有しているので、ＬＥＤバックライトの長寿命化を図ることができる。また、本発明に係る表示装置によると、複数の前記ＬＥＤが複数の固定されたグループに分類されている、或いは、複数の前記ＬＥＤがグループ分けされずに複数の前記ＬＥＤ全てが同一の点灯状態であるので、ＬＥＤバックライトを複雑な構成にしなくてすむ。
【図面の簡単な説明】
【００１８】
【図１】本発明の第１実施形態に係る表示装置の概略構成を示す図である。
【図２】本発明の第１実施形態に係る表示装置で用いられるＬＥＤバックライトの構成を示す図である。
【図３】図２に示すＬＥＤバックライトと置換可能なＬＥＤバックライトの一構成例を示す図である。
【図４Ａ】図２に示すＬＥＤバックライトと置換可能なＬＥＤバックライトの他の構成例を示す図である。
【図４Ｂ】図２に示すＬＥＤバックライトと置換可能なＬＥＤバックライトの更に他の構成例を示す図である。
【図５】本発明の第２実施形態に係る表示装置の概略構成を示す図である。
【図６】本発明の第２実施形態に係る表示装置で用いられるＬＥＤバックライトの構成を示す図である。
【図７】図６に示すＬＥＤバックライトと置換可能なＬＥＤバックライトの一構成例を示す図である。
【図８】図６に示すＬＥＤバックライトと置換可能なＬＥＤバックライトの他の構成例を示す図である。
【図９】本発明の第３実施形態に係る表示装置の概略構成を示す図である。
【図１０】本発明の第４実施形態に係る表示装置の概略構成を示す図である。
【図１１】本発明の第４実施形態に係る表示装置で用いられるＬＥＤバックライトの構成を示す図である。
【図１２】本発明の第５実施形態に係る表示装置の概略構成を示す図である。
【図１３】本発明の第６実施形態に係る表示装置の概略構成を示す図である。
【図１４】本発明の第７実施形態に係る表示装置の概略構成を示す図である。
【発明を実施するための形態】
【００１９】
本発明の実施形態について図面を参照して以下に説明する。
【００２０】
＜第１実施形態＞
本発明の第１実施形態に係る表示装置の概略構成を図１に示す。図１に示す本発明の第１実施形態に係る表示装置は、映像処理部１と、液晶表示制御部２と、信号ドライバ３と、走査ドライバ４と、液晶表示パネル５と、駆動回路制御部６と、第１駆動回路７Ａと、第２駆動回路７Ｂと、ＬＥＤバックライト８Ａと、温度センサ９とを備える液晶表示装置である。なお、本実施形態では、駆動回路制御部６、第１駆動回路７Ａ、及び第２駆動回路７Ｂが請求項に記載されているバックライト制御部に相当する。
【００２１】
映像処理部１は、液晶表示装置の内部で生成された映像信号（例えば、不図示のチューナ部で生成された映像信号など）や液晶表示装置の外部から入力された映像信号に対して、各種の処理を施した後、液晶表示制御部２に出力する。液晶表示制御部２は、映像処理部１から出力された映像信号に従って、信号ドライバ３及び走査ドライバ４を制御する。信号ドライバ３は、液晶表示制御部２の制御に従って、液晶表示パネル５の信号線（不図示）にデータを供給し、走査ドライバ４は、液晶表示制御部２の制御に従って、液晶表示パネル５の走査線（不図示）にデータを供給する。これにより、液晶表示パネル５が駆動する。
【００２２】
ＬＥＤバックライト８Ａは、第１グループに属する白色ＬＥＤ８１と、第２グループに属する白色ＬＥＤ８２とをそれぞれ複数有している直下型バックライトである。ＬＥＤバックライト８Ａでは、図２に示すように、第１グループに属する白色ＬＥＤ８１が１つおきに配置され、第２グループに属する白色ＬＥＤ８２も１つおきに配置されるように、第１グループに属する白色ＬＥＤ８１及び第２グループに属する白色ＬＥＤ８２が周期的に配置されている。第１駆動回路７Ａは、Ｍチャンネル出力の駆動回路であり、チャンネル毎に個別の定電流値を設定した定電流駆動が可能である。第１駆動回路７Ａの各チャンネルにはそれぞれ、第１グループに属する白色ＬＥＤ８１がＮ個接続されている。また、第２駆動回路７Ｂは、Ｍチャンネル出力の駆動回路であり、チャンネル毎に個別の定電流値を設定した定電流駆動が可能である。第２駆動回路７Ｂの各チャンネルにはそれぞれ、第２グループに属する白色ＬＥＤ８２がＮ個接続されている。なお、図２では、同一グループのＬＥＤ同士を接続する配線の図示を一部を除いて省略している。
【００２３】
温度センサ９は、ＬＥＤバックライト８Ａの周辺温度を検出しており、その検出結果を駆動回路制御部６に出力する。駆動回路制御部６は、温度センサ９によって検出されるＬＥＤバックライト８Ａの周辺温度に応じて、第１駆動回路７Ａ及び第２駆動回路７Ｂを制御する。具体的な制御は以下の通りである。
【００２４】
駆動回路制御部６は、温度センサ９によって検出されるＬＥＤバックライト８Ａの周辺温度が予め設定されている所定の温度以上であるかを判定する。
【００２５】
温度センサ９によって検出されるＬＥＤバックライト８Ａの周辺温度が予め設定されている所定の温度以上でなければ、駆動回路制御部６は、第１駆動回路７Ａ及び第２駆動回路７Ｂの両方を動作させる。これにより、第１グループに属する白色ＬＥＤ８１及び第２グループに属する白色ＬＥＤ８２の両方が点灯する。
【００２６】
一方、温度センサ９によって検出されるＬＥＤバックライト８Ａの周辺温度が予め設定されている所定の温度以上であれば、駆動回路制御部６は、第１駆動回路７Ａ及び第２駆動回路７Ｂのうちいずれか一方のみを動作させる。これにより、第１グループに属する白色ＬＥＤ８１及び第２グループに属する白色ＬＥＤ８２のうちいずれか一方のみが点灯する。ここで、第１グループに属する白色ＬＥＤ８１の寿命到達時点と第２グループに属する白色ＬＥＤ８２の寿命到達時点とが極端に異なることを避けることができる構成（例えば、ＬＥＤバックライト８Ａの周辺温度が予め設定されている所定の温度以上である期間毎に、点灯させるグループを入れ替える構成）にすることが望ましい。
【００２７】
上記のような制御により、ＬＥＤバックライト８Ａの周辺温度が所定の温度以上のときに、ＬＥＤの点灯数を減らし、ＬＥＤバックライト８Ａでの発熱量を低減することができる。ＬＥＤは高温で駆動するほど寿命が短くなるという特性を有しているので、上記のような制御により、ＬＥＤバックライト８Ａの長寿命化を図ることができる。
【００２８】
なお、ＬＥＤバックライト８Ａを、直下型バックライトであるＬＥＤバックライト８Ｂに置換してもよい。ＬＥＤバックライト８Ｂでは、図３に示すように、第１グループに属する白色ＬＥＤ８１が１列おきに配置され、第２グループに属する白色ＬＥＤ８２も１列おきに配置されるように、第１グループに属する白色ＬＥＤ８１及び第２グループに属する白色ＬＥＤ８２が周期的に配置されている。なお、図３では、同一グループのＬＥＤ同士を接続する配線の図示を一部を除いて省略している。
【００２９】
また、ＬＥＤバックライト８Ａを、エッジ型バックライトであるＬＥＤバックライト８Ｃに置換してもよい。ＬＥＤバックライト８Ｃでは、図４Ａに示すように、光源部８０１及び導光板８０２が設けられており、第１グループに属する白色ＬＥＤ８１が１つおきに光源部８０１に配置され、第２グループに属する白色ＬＥＤ８２も１つおきに光源部８０１に配置されるように、第１グループに属する白色ＬＥＤ８１及び第２グループに属する白色ＬＥＤ８２が周期的に光源部８０１に配置されている。また、ＬＥＤバックライト８Ｃは、光源部８０１が１つのユニットであったが、光源部８０１が複数のユニットからなる構成であってもよい。かかる構成の一例（ユニット数が４の例）を図４Ｂに示す。なお、図４Ａ及び図４Ｂでは、同一グループのＬＥＤ同士を接続する配線の図示を省略している。
【００３０】
＜第２実施形態＞
本発明の第２実施形態に係る表示装置の概略構成を図５に示す。なお、図５において、図１と同一の部分には同一の符号を付し詳細な説明を省略する。図５に示す本発明の第２実施形態に係る表示装置は、映像処理部１と、液晶表示制御部２と、信号ドライバ３と、走査ドライバ４と、液晶表示パネル５と、駆動回路制御部６と、第１駆動回路７Ａと、第２駆動回路７Ｂと、第３駆動回路７Ｃと、ＬＥＤバックライト８Ｄと、温度センサ９とを備える液晶表示装置である。なお、本実施形態では、駆動回路制御部６、第１駆動回路７Ａ、第２駆動回路７Ｂ、及び第３駆動回路７Ｃが請求項に記載されているバックライト制御部に相当する。
【００３１】
ＬＥＤバックライト８Ｄは、第１グループに属する白色ＬＥＤ８１と、第２グループに属する白色ＬＥＤ８２と、第３グループに属する白色ＬＥＤ８３とをそれぞれ複数有している直下型バックライトである。ＬＥＤバックライト８Ｄでは、図６に示すように、第１グループに属する白色ＬＥＤ８１が２つおきに配置され、第２グループに属する白色ＬＥＤ８２も２つおきに配置され、第３グループに属する白色ＬＥＤ８３も２つおきに配置されるように、第１グループに属する白色ＬＥＤ８１、第２グループに属する白色ＬＥＤ８２、及び第３グループに属する白色ＬＥＤ８３が周期的に配置されている。なお、図６では、同一グループのＬＥＤ同士を接続する配線の図示を省略している。
【００３２】
第１駆動回路７Ａは、Ｍチャンネル出力の駆動回路であり、チャンネル毎に個別の定電流値を設定した定電流駆動が可能である。第１駆動回路７Ａの各チャンネルにはそれぞれ、第１グループに属する白色ＬＥＤ８１がＮ個接続されている。また、第２駆動回路７Ｂは、Ｍチャンネル出力の駆動回路であり、チャンネル毎に個別の定電流値を設定した定電流駆動が可能である。第２駆動回路７Ｂの各チャンネルにはそれぞれ、第２グループに属する白色ＬＥＤ８２がＮ個接続されている。また、第３駆動回路７Ｃは、Ｍチャンネル出力の駆動回路であり、チャンネル毎に個別の定電流値を設定した定電流駆動が可能である。第３駆動回路７Ｃの各チャンネルにはそれぞれ、第３グループに属する白色ＬＥＤ８３がＮ個接続されている。
【００３３】
本実施形態において、温度センサ９は、ＬＥＤバックライト８Ｄの周辺温度を検出しており、その検出結果を駆動回路制御部６に出力する。本実施形態において、駆動回路制御部６は、温度センサ９によって検出されるＬＥＤバックライト８Ｄの周辺温度に応じて、第１駆動回路７Ａ、第２駆動回路７Ｂ、及び第３駆動回路７Ｃを制御する。具体的な制御は以下の通りである。
【００３４】
駆動回路制御部６は、温度センサ９によって検出されるＬＥＤバックライト８Ｄの周辺温度が予め設定されている所定の温度以上であるかを判定する。
【００３５】
温度センサ９によって検出されるＬＥＤバックライト８Ｄの周辺温度が予め設定されている所定の温度以上でなければ、駆動回路制御部６は、第１駆動回路７Ａ、第２駆動回路７Ｂ、及び第３駆動回路７Ｃ全てを動作させる。これにより、第１グループに属する白色ＬＥＤ８１、第２グループに属する白色ＬＥＤ８２、及び第３グループに属する白色ＬＥＤ８３全てが点灯する。
【００３６】
一方、温度センサ９によって検出されるＬＥＤバックライト８Ｄの周辺温度が予め設定されている所定の温度以上であれば、駆動回路制御部６は、第１駆動回路７Ａ、第２駆動回路７Ｂ、及び第３駆動回路７Ｃのうちいずれか一つのみを動作させる。これにより、第１グループに属する白色ＬＥＤ８１、第２グループに属する白色ＬＥＤ８２、及び第３グループに属する白色ＬＥＤ８３のうちいずれか一つのグループに属する白色ＬＥＤのみが点灯する。ここで、第１グループに属する白色ＬＥＤ８１の寿命到達時点、第２グループに属する白色ＬＥＤ８２の寿命到達時点、及び第３グループに属する白色ＬＥＤ８２の寿命到達時点それぞれが他のグループに属する白色ＬＥＤの寿命到達時点と極端に異なることを避けることができる構成（例えば、ＬＥＤバックライト８Ｄの周辺温度が予め設定されている所定の温度以上である期間毎に、点灯させるグループを入れ替える構成）にすることが望ましい。
【００３７】
上記のような制御により、ＬＥＤバックライト８Ｄの周辺温度が所定の温度以上のときに、ＬＥＤの点灯数を減らし、ＬＥＤバックライト８Ｄでの発熱量を低減することができる。ＬＥＤは高温で駆動するほど寿命が短くなるという特性を有しているので、上記のような制御により、ＬＥＤバックライト８Ｄの長寿命化を図ることができる。
【００３８】
なお、ＬＥＤバックライト８Ｄを、直下型バックライトであるＬＥＤバックライト８Ｅに置換してもよい。ＬＥＤバックライト８Ｅでは、図７に示すように、第１グループに属する白色ＬＥＤ８１が２列おきに配置され、第２グループに属する白色ＬＥＤ８２も２列おきに配置され、第３グループに属する白色ＬＥＤ８３も２列おきに配置されるように、第１グループに属する白色ＬＥＤ８１、第２グループに属する白色ＬＥＤ８２、及び第３グループに属する白色ＬＥＤ８３が周期的に配置されている。なお、図７では、同一グループのＬＥＤ同士を接続する配線の図示を省略している。
【００３９】
また、ＬＥＤバックライト８Ｄを、エッジ型バックライトであるＬＥＤバックライト８Ｆに置換してもよい。ＬＥＤバックライト８Ｆでは、図８に示すように、光源部８０１及び導光板８０２が設けられており、第１グループに属する白色ＬＥＤ８１が２つおきに光源部８０１に配置され、第２グループに属する白色ＬＥＤ８２も２つおきに光源部８０１に配置され、第３グループに属する白色ＬＥＤ８３も２つおきに光源部８０１に配置されるように、第１グループに属する白色ＬＥＤ８１、第２グループに属する白色ＬＥＤ８２、及び第３グループに属する白色ＬＥＤ８３が周期的に光源部８０１に配置されている。また、ＬＥＤバックライト８Ｆは、光源部８０１が１つのユニットであったが、光源部８０１が複数のユニットからなる構成であってもよい。なお、図８では、同一グループのＬＥＤ同士を接続する配線の図示を省略している。
【００４０】
＜第３実施形態＞
本発明の第３実施形態に係る表示装置の概略構成を図９に示す。なお、図９において、図１と同一の部分には同一の符号を付し詳細な説明を省略する。図９に示す本発明の第３実施形態に係る表示装置は、図１に示す本発明の第１実施形態に係る表示装置から第１駆動回路７Ａ及び第２駆動回路７Ｂを取り除き、それらの代わりに第１駆動回路７Ｄ及び第２駆動回路７Ｅを設けた構成である。なお、本実施形態では、駆動回路制御部６、第１駆動回路７Ｄ、及び第２駆動回路７Ｅが請求項に記載されているバックライト制御部に相当する。
【００４１】
第１駆動回路７Ｄは、Ｍチャンネル出力の駆動回路であり、チャンネル毎に個別の定電流値を設定した定電流駆動が可能である。第１駆動回路７Ｄの各チャンネルにはそれぞれ、第１グループに属する白色ＬＥＤ８１がＮ個接続されている。また、第２駆動回路７Ｅは、Ｍチャンネル出力の駆動回路であり、チャンネル毎に個別の定電流値を設定した定電流駆動が可能である。第２駆動回路７Ｅの各チャンネルにはそれぞれ、第２グループに属する白色ＬＥＤ８２がＮ個接続されている。
【００４２】
本実施形態において、駆動回路制御部６は、温度センサ９によって検出されるＬＥＤバックライト８Ａの周辺温度に応じて、第１駆動回路７Ｄ及び第２駆動回路７Ｅを制御する。具体的な制御は以下の通りである。
【００４３】
駆動回路制御部６は、温度センサ９によって検出されるＬＥＤバックライト８Ａの周辺温度が予め設定されている所定の温度以上であるかを判定する。
【００４４】
温度センサ９によって検出されるＬＥＤバックライト８Ａの周辺温度が予め設定されている所定の温度以上でなければ、駆動回路制御部６は、第１駆動回路７Ｄの総出力電流と第２駆動回路７Ｅの総出力電流とを等しくする。
【００４５】
一方、温度センサ９によって検出されるＬＥＤバックライト８Ａの周辺温度が予め設定されている所定の温度以上であれば、駆動回路制御部６は、第１駆動回路７Ｄの総出力電流および第２駆動回路７Ｅの総出力電流の一方を他方より少なくする。ここで、第１グループに属する白色ＬＥＤ８１の寿命到達時点と第２グループに属する白色ＬＥＤ８２の寿命到達時点とが極端に異なることを避けることができる構成（例えば、ＬＥＤバックライト８Ａの周辺温度が予め設定されている所定の温度以上である期間毎に、第１駆動回路７Ｄの総出力電流を第２駆動回路７Ｅの総出力電流より少なくする制御と、第２駆動回路７Ｅの総出力電流を第１駆動回路７Ｄの総出力電流より少なくする制御とを入れ替える構成）にすることが望ましい。
【００４６】
上記のような制御により、ＬＥＤバックライト８Ａの周辺温度が所定の温度以上のときに、第１グループに属する白色ＬＥＤ８１および第２グループに属する白色ＬＥＤ８２の一方が他方より低輝度で点灯するので、ＬＥＤバックライト８Ａでの発熱量を低減することができる。ＬＥＤは高温で駆動するほど寿命が短くなるという特性を有しているので、上記のような制御により、ＬＥＤバックライト８Ａの長寿命化を図ることができる。
【００４７】
なお、本実施形態においても、第１実施形態と同様に、ＬＥＤバックライト８Ａを、直下型バックライトであるＬＥＤバックライト８Ｂ（図３参照）やエッジ型バックライトであるＬＥＤバックライト８Ｃ（図４Ａ参照）に置換することができる。
【００４８】
＜第４実施形態＞
本発明の第４実施形態に係る表示装置の概略構成を図１０に示す。なお、図１０において、図１と同一の部分には同一の符号を付し詳細な説明を省略する。図１０に示す本発明の第４実施形態に係る表示装置は、図１に示す本発明の第１実施形態に係る表示装置から第１駆動回路７Ａ、第２駆動回路７Ｂ、及びＬＥＤバックライト８Ａを取り除き、それらの代わりに駆動回路７Ｆ及びＬＥＤバックライト８Ｇを設けた構成である。なお、本実施形態では、駆動回路制御部６及び駆動回路７Ｆが請求項に記載されているバックライト制御部に相当する。
【００４９】
ＬＥＤバックライト８Ｇは、図１１に示すように白色ＬＥＤ８４が直列接続されている直下型バックライトである。駆動回路７Ｆは、Ｍチャンネル出力の駆動回路であり、チャンネル毎に個別の定電流値を設定した定電流駆動が可能である。駆動回路７Ｆの各チャンネルにはそれぞれ、白色ＬＥＤ８４がＮ個接続されている。なお、図１１では、ＬＥＤ同士を接続する配線の図示を一部を除いて省略している。
【００５０】
本実施形態において、駆動回路制御部６は、温度センサ９によって検出されるＬＥＤバックライト８Ｇの周辺温度に応じて、駆動回路７Ｆを制御する。具体的な制御は以下の通りである。
【００５１】
駆動回路制御部６は、温度センサ９によって検出されるＬＥＤバックライト８Ｇの周辺温度が予め設定されている所定の温度以上であるかを判定する。
【００５２】
温度センサ９によって検出されるＬＥＤバックライト８Ｇの周辺温度が予め設定されている所定の温度以上でなければ、駆動回路制御部６は、駆動回路７Ｆの総出力電流を所定の温度以上である場合の同一画像表示時より多くする。
【００５３】
一方、温度センサ９によって検出されるＬＥＤバックライト８Ｇの周辺温度が予め設定されている所定の温度以上であれば、駆動回路制御部６は、駆動回路７Ｆの総出力電流を所定の温度以上でない場合の同一画像表示時より少なくする。
【００５４】
上記のような制御により、ＬＥＤバックライト８Ｇの周辺温度が所定の温度以上のときに、白色ＬＥＤ８４に流れる電流を減らし、ＬＥＤバックライト８Ｇでの発熱量を低減することができる。ＬＥＤは高温で駆動するほど寿命が短くなるという特性を有しているので、上記のような制御により、ＬＥＤバックライト８Ｇの長寿命化を図ることができる。
【００５５】
＜第５実施形態＞
本発明の第５実施形態に係る表示装置の概略構成を図１２に示す。なお、図１２において、図１と同一の部分には同一の符号を付し詳細な説明を省略する。図１２に示す本発明の第５実施形態に係る表示装置は、図１に示す本発明の第１実施形態に係る表示装置から温度センサ９を取り除いた構成である。なお、本実施形態では、駆動回路制御部６、第１駆動回路７Ａ、及び第２駆動回路７Ｂが請求項に記載されているバックライト制御部に相当する。
【００５６】
本実施形態において、駆動回路制御部６は、第１駆動回路７Ａ及び第２駆動回路７Ｂを所定の周期で交互に動作させる。前記所定の周期は、第１グループに属する白色ＬＥＤ８１の点灯と第２グループに属する白色ＬＥＤ８２の点灯との切り替わりがユーザーにちらつきとして認識されず、尚かつ、第１グループに属する白色ＬＥＤ８１及び第２グループに属する白色ＬＥＤ８２を全点灯させる場合に比べて第１グループに属する白色ＬＥＤ８１及び第２グループに属する白色ＬＥＤ８２の温度上昇を抑えることができる範囲に設定する。
【００５７】
上記のような制御により、ＬＥＤバックライト８Ａでの発熱量を低減することができる。ＬＥＤは高温で駆動するほど寿命が短くなるという特性を有しているので、上記のような制御により、ＬＥＤバックライト８Ａの長寿命化を図ることができる。
【００５８】
なお、本実施形態においても、第１実施形態と同様に、ＬＥＤバックライト８Ａを、直下型バックライトであるＬＥＤバックライト８Ｂ（図３参照）やエッジ型バックライトであるＬＥＤバックライト８Ｃ（図４Ａ参照）に置換することができる。
【００５９】
＜第６実施形態＞
本発明の第６実施形態に係る表示装置の概略構成を図１３に示す。なお、図１３において、図９と同一の部分には同一の符号を付し詳細な説明を省略する。図１３に示す本発明の第６実施形態に係る表示装置は、図９に示す本発明の第３実施形態に係る表示装置から温度センサ９を取り除いた構成である。なお、本実施形態では、駆動回路制御部６、第１駆動回路７Ｄ、及び第２駆動回路７Ｅが請求項に記載されているバックライト制御部に相当する。
【００６０】
本実施形態において、駆動回路制御部６は、第１駆動回路７Ｄの総出力電流および第２駆動回路７Ｅの総出力電流の一方を他方より少なくする。ここで、第１グループに属する白色ＬＥＤ８１の寿命到達時点と第２グループに属する白色ＬＥＤ８２の寿命到達時点とが極端に異なることを避けることができる構成（例えば、表示装置の電源が投入される毎に、第１駆動回路７Ｄの総出力電流を第２駆動回路７Ｅの総出力電流より少なくする制御と、第２駆動回路７Ｅの総出力電流を第１駆動回路７Ｄの総出力電流より少なくする制御とを入れ替える構成）にすることが望ましい。
【００６１】
上記のような制御により、ＬＥＤバックライト８Ａでの発熱量を低減することができる。ＬＥＤは高温で駆動するほど寿命が短くなるという特性を有しているので、上記のような制御により、ＬＥＤバックライト８Ａの長寿命化を図ることができる。
【００６２】
なお、本実施形態においても、第１実施形態と同様に、ＬＥＤバックライト８Ａを、直下型バックライトであるＬＥＤバックライト８Ｂ（図３参照）やエッジ型バックライトであるＬＥＤバックライト８Ｃ（図４Ａ参照）に置換することができる。
【００６３】
＜第７実施形態＞
本発明の第７実施形態に係る表示装置の概略構成を図１４に示す。なお、図１４において、図１と同一の部分には同一の符号を付し詳細な説明を省略する。図１４に示す本発明の第７実施形態に係る表示装置は、図１に示す本発明の第１実施形態に係る表示装置から温度センサ９を取り除き、入力部１０を追加した構成である。なお、本実施形態では、駆動回路制御部６、第１駆動回路７Ａ、及び第２駆動回路７Ｂが請求項に記載されているバックライト制御部に相当する。
【００６４】
入力部１０は、表示装置本体に設けられたキー（不図示）からの出力信号やリモコン送信機から送信された赤外線データに基づいて、ユーザー操作に応じた入力情報を生成し、当該入力情報に基づいて、映像処理部１及び駆動回路制御部６を制御する。
【００６５】
ユーザーがメニュー画面の呼び出しに対応する操作を実行した場合、映像処理部１は、入力部１０の制御に従って、メニュー画面のＯＳＤ（On Screen Display）データを生成し、液晶表示制御部２に出力する。これにより、液晶表示パネル５がメニュー画面を表示する。
【００６６】
液晶表示パネル５がメニュー画面を表示している状態でユーザーがＬＥＤ全点灯モードの選択に対応する操作を実行した場合、駆動回路制御部６は、入力部１０の制御に従って、第１駆動回路７Ａ及び第２駆動回路７Ｂの両方を動作させる。これにより、第１グループに属する白色ＬＥＤ８１及び第２グループに属する白色ＬＥＤ８２の両方が点灯する。
【００６７】
一方、液晶表示パネル５がメニュー画面を表示している状態でユーザーがＬＥＤ長寿命モードの選択に対応する操作を実行した場合、駆動回路制御部６は、入力部１０の制御に従って、第１駆動回路７Ａ及び第２駆動回路７Ｂのうちいずれか一方のみを動作させる。これにより、第１グループに属する白色ＬＥＤ８１及び第２グループに属する白色ＬＥＤ８２のうちいずれか一方のみが点灯する。
【００６８】
ここで、ＬＥＤ長寿命モードにおいて、駆動回路制御部６がまず第１駆動回路７Ａのみを動作させ、第１グループに属する白色ＬＥＤ８１の少なくとも一つに寿命が来ると、第２駆動回路７Ｂのみを動作させる構成にしてもよく、第１グループに属する白色ＬＥＤ８１の寿命到達時点と第２グループに属する白色ＬＥＤ８２の寿命到達時点とが極端に異なることを避けることができる構成（例えば、表示装置の電源が投入される毎に、点灯させるグループを入れ替える構成）にしてもよいが、第１グループに属する白色ＬＥＤ８１及び第２グループに属する白色ＬＥＤ８２の全点灯可能期間をできるだけ確保する観点から、後者の構成の方がより望ましい。また、前者の構成では、第１グループに属する白色ＬＥＤ８１の少なくとも一つに寿命が来たか否かを判定する必要があるが、例えば、第１グループに属する白色ＬＥＤ８１の累積点灯時間を記憶する手段を設け、第１グループに属する白色ＬＥＤ８１の累積点灯時間が予め設定した寿命時間を超えると、第１グループに属する白色ＬＥＤ８１の少なくとも一つに寿命が来たと判定する方法、或いは、第１グループに属する白色ＬＥＤ８１の直列回路の両端電圧と、第１グループに属する白色ＬＥＤ８１に流れる電流とを検出する手段を設け、当該両端電圧及び当該電流の少なくとも一方が予め設定した正常範囲を超えると第１グループに属する白色ＬＥＤ８１の少なくとも一つに寿命が来たと判定する方法などを採用すればよい。
【００６９】
上記のような制御により、ＬＥＤ長寿命モードが選択されているときに、ＬＥＤの点灯数を減らし、ＬＥＤバックライト８Ａでの発熱量を低減することができる。ＬＥＤは高温で駆動するほど寿命が短くなるという特性を有しているので、上記のような制御により、ＬＥＤバックライト８Ａの長寿命化を図ることができる。
【００７０】
なお、本実施形態においても、第１実施形態と同様に、ＬＥＤバックライト８Ａを、直下型バックライトであるＬＥＤバックライト８Ｂ（図３参照）やエッジ型バックライトであるＬＥＤバックライト８Ｃ（図４Ａ参照）に置換することができる。
【００７１】
＜その他＞
以上、本発明に係る実施形態について説明したが、本発明の範囲はこれに限定されるものではなく、発明の主旨を逸脱しない範囲で種々の変更を加えて実行することができる。変更のいくつかの例を以下に示す。
【００７２】
上述した第１〜３，５〜７実施形態では、同一グループに属するＬＥＤを１つおき、１列おき、２つおき、或いは２列おきに周期的に配置したが、本発明の範囲はこれに限定されるものではなく、例えば、ＬＥＤを４つのグループに分類し、同一グループに属するＬＥＤを３つおき或いは３列おきに配置する等、他の配置を採用してもよい。
【００７３】
また、上述した第５〜７実施形態において、ＬＥＤを２つのグループではなく３つ以上のグループに分類する変形例も可能である。この変形例の場合、上述した第５実施形態では、各グループに属するＬＥＤを順次点灯させる構成にし、上述した第６実施形態では、一部のグループに属するＬＥＤを前記第２定電流に応じた輝度で点灯させ、残りのグループに属するＬＥＤを前記第１定電流に応じた輝度で点灯させる構成にし、上述した第７実施形態では、ＬＥＤ長寿命モードにおいて或る一つのグループに属するＬＥＤのみを点灯させる構成にするとよい。
【００７４】
また、例えば、上述した第７実施形態において、ＬＥＤ全点灯モードを廃止してもよい。この場合、常にＬＥＤ長寿命モードになるため、ＬＥＤ長寿命モードを選択する操作が不要となる。
【００７５】
また、上述した各実施形態及び上記の各変形例の内容は、矛盾がない限り、任意に組み合わせて実施することが可能である。
【００７６】
例えば、上述した第１実施形態と第３実施形態とを組み合わせることができる。この場合、駆動回路制御部６は、ＬＥＤバックライト８Ａの周辺温度が予め設定されている第１の温度以上でなければ、第１駆動回路７Ｄの総出力電流と第２駆動回路７Ｅの総出力電流とが等しくなるように第１駆動回路７Ｄ及び第２駆動回路７Ｅの両方を動作させ、ＬＥＤバックライト８Ａの周辺温度が第１の温度以上であり第１の温度より高い予め設定されている第２の温度未満であれば、第１駆動回路７Ｄ及び第２駆動回路７Ｅのうちいずれか一方のみを、総出力電流が第１の温度未満である場合の同一画像表示時と等しくなるように動作させ、ＬＥＤバックライト８Ａの周辺温度が第２の温度以上であれば、第１駆動回路７Ｄ及び第２駆動回路７Ｅのうちいずれか一方のみを、総出力電流が第１の温度未満である場合の同一画像表示時より少なくなるように動作させる。
【００７７】
また、例えば、上述した第１実施形態と第６実施形態とを組み合わせることができる。この場合、駆動回路制御部６は、ＬＥＤバックライト８Ａの周辺温度が予め設定されている所定の温度以上でなければ、第１駆動回路７Ｄの総出力電流および第２駆動回路７Ｅの総出力電流の一方を他方より少なくし、ＬＥＤバックライト８Ａの周辺温度が所定の温度以上であれば、第１駆動回路７Ｄ及び第２駆動回路７Ｅのうちいずれか一方のみを総出力電流が所定の温度未満である場合の同一画像表示時と等しくなるように動作させ、他方は動作させない。
【符号の説明】
【００７８】
１  映像処理部
２  液晶表示制御部
３  信号ドライバ
４  走査ドライバ
５  液晶表示パネル
６  駆動回路制御部
７Ａ、７Ｄ  第１駆動回路
７Ｂ、７Ｅ  第２駆動回路
７Ｃ  第３駆動回路
７Ｆ  駆動回路
８Ａ〜８Ｇ  ＬＥＤバックライト
９  温度センサ
１０  入力部
８１  第１グループに属する白色ＬＥＤ
８２  第２グループに属する白色ＬＥＤ
８３  第３グループに属する白色ＬＥＤ
８４  白色ＬＥＤ
８０１  光源部
８０２  導光板
【図１】
2011249087.tif 000003
【図２】
2011249087.tif 000004
【図３】
2011249087.tif 000005
【図４Ａ】
2011249087.tif 000006
【図４Ｂ】
2011249087.tif 000007
【図５】
2011249087.tif 000008
【図６】
2011249087.tif 000009
【図７】
2011249087.tif 000010
【図８】
2011249087.tif 000011
【図９】
2011249087.tif 000012
【図１０】
2011249087.tif 000013
【図１１】
2011249087.tif 000014
【図１２】
2011249087.tif 000015
【図１３】
2011249087.tif 000016
【図１４】
2011249087.tif 000017